(57)【要約】【課題】メイン基板の汎用性を向上させて製造コストを低減する。【解決手段】ＬＣＤユニット１６内のＬＣＤ駆動回路５１には、接続ケーブル５２の一端が電気的に接続されている。電子基板ユニット６０は、システムコントローラ３０と、メイン基板６１と、接続部６２とで構成されている。接続ケーブル５２の他端は、接続部６２によって、メイン基板６１と電気的に接続されている。システムコントローラ３０は、ＬＣＤ駆動回路５１内の通信部５７によって送信された識別情報を受信する。識別部３０ｃは、この識別情報に基づいてＬＣＤユニット１６の種別を識別する。設定部３０ｄは、識別部３０ｃの識別結果に基づいてＬＣＤユニット１６の種別に対応する制御プログラム及び制御パラメータを設定する。【選択図】図４
2008244114.tif 000002
【特許請求の範囲】
【請求項１】
電子機器全体を制御する制御回路と、前記制御回路が実装され、前記電子機器の本体に取り付けられる周辺ユニットが電気的に接続されるメイン基板とで構成される電子基板ユニットにおいて、
前記制御回路は、前記周辺ユニットの種別を示す識別情報を前記周辺ユニットから取得して識別する識別手段と、
前記識別手段の識別結果に基づいて前記周辺ユニットの種別に対応する制御情報を設定する設定手段とを備えていることを特徴とする電子基板ユニット。
【請求項２】
前記各周辺ユニットに対応する複数の制御情報が記憶された記憶手段を備え、前記設定手段は、前記識別結果に基づいて、前記記憶手段に記憶された前記複数の制御情報から前記周辺ユニットに対応する制御情報を選択して設定することを特徴とする請求項１に記載の電子基板ユニット。
【請求項３】
前記制御情報を記憶するための記憶手段を備え、前記設定手段は、前記電子機器の製造時に、前記識別情報に対応する前記制御情報を製造ラインに設けられたコンピュータからダウンロードして、前記記憶手段に記憶させることを特徴とする請求項１に記載の電子基板ユニット。
【請求項４】
前記周辺ユニットは、前記識別情報を前記制御回路に送信する通信手段を備え、前記識別手段は、前記通信手段によって送信された前記識別情報に基づいて前記周辺ユニットの種別を識別することを特徴とする請求項１ないし３のいずれか１項に記載の電子基板ユニット。
【請求項５】
前記各周辺ユニットは、種別毎に異なる電圧が印加される識別端子を各々備え、前記各周辺ユニットと前記メイン基板とが電気的に接続された場合、前記識別端子から前記電圧に対応する電圧信号が前記制御回路に入力され、前記識別手段は、前記電圧信号に基づいて前記周辺ユニットの種別を識別することを特徴とする請求項１ないし３のいずれか１項に記載の電子基板ユニット。
【請求項６】
前記メイン基板には、前記各周辺ユニットの取り付け領域に対応する位置に配置され、前記各周辺ユニットが前記電子機器の本体に取り付けられた時に電気的に接続されて、前記周辺ユニット毎に異なる電圧信号を前記制御回路に出力する識別端子が設けられ、
前記識別手段は、前記電圧信号に基づいて前記周辺ユニットの種別を識別することを特徴とする請求項１ないし３のいずれか１項に記載の電子基板ユニット。
【請求項７】
前記周辺ユニットが取り付けられた時に前記周辺ユニットの背面に設けられた金属板と電気的に接続される接地端子を備え、前記識別端子には、所定電圧が印加されており、前記各周辺ユニットが取り付けられた時に、前記金属板を介して前記接地端子と電気的に接続されて接地されることを特徴とする請求項６に記載の電子基板ユニット。
【請求項８】
前記制御回路は、前記設定手段によって設定された前記制御情報に基づいて、前記周辺ユニット内の駆動回路のスイッチを切り替えて、前記周辺ユニットの種別に対応させることを特徴とする請求項１ないし７のいずれか１項に記載の電子基板ユニット。
【請求項９】
電子機器全体を制御する制御回路が実装されたメイン基板と電気的に接続され、前記電子機器の本体に取り付けられる周辺ユニットの制御方法において、
前記周辺ユニットの種別を示す識別情報を前記周辺ユニットから取得して識別し、この識別結果に基づいて前記周辺ユニットの種別に対応する制御情報を設定し、この制御情報に基づいて前記周辺ユニットを制御することを特徴とする周辺ユニットの制御方法。
【請求項１０】
請求項１ないし８のいずれか１項に記載の電子基板ユニットと、前記電子基板ユニットと電気的に接続され、電子機器の本体に取り付けられる周辺ユニットとを備えていることを特徴とする撮影装置。
【発明の詳細な説明】
【技術分野】
【０００１】
本発明は、電子機器全体を制御する制御回路と、この制御回路が実装され電子機器本体に取り付けられる周辺ユニットが電気的に接続されるメイン基板とで構成される電子基板ユニット、周辺ユニットの制御方法、及びこの電子基板ユニットを備えた撮影装置に関する。
【背景技術】
【０００２】
近年、デジタルカメラ等の電子機器では、製造コストを低減するために部品を共通化して部品の単価を下げることが考えられている。このような電子機器として、機器本体に取り付けられる周辺ユニットの種別が異なる場合でも、メイン基板と周辺ユニットとの電気的接続部を共用できるようにして、メイン基板を１種類にすることを可能にした電気基板システムが知られている（例えば、特許文献１参照）。
【０００３】
また、電子機器が、機器本体とこの機器本体に着脱自在に装着される周辺ユニットとで構成される場合に、機器本体に適合しない周辺ユニットが装着して使用されることを防止することが考えられている。このような電子機器として、レンズユニットがカメラ本体に着脱自在に取り付けられるカメラにおいて、カメラ本体とマッチングしないレンズユニットが取り付けられた場合、カメラ本体に設けられた表示装置に警告を表示するカメラが知られている（例えば、特許文献２参照）。
【特許文献１】特開２０００−１５１１５１号公報
【特許文献２】特開２００２−２８７２０２号公報
【発明の開示】
【発明が解決しようとする課題】
【０００４】
しかしながら、上記特許文献１に記載の電気基板システムでは、周辺ユニットの制御情報（例えば、制御プログラムや制御パラメータ等）が種別毎に異なる場合には、メイン基板を１種類にできないため、製造コストを低減することができないという問題があった。また、上記特許文献２に記載のカメラでは、レンズユニットがカメラ本体に適合するか否かの判断を行っているだけであり、汎用性はないため、同様に、製造コストを低減することができないという問題があった。
【０００５】
本発明は、上記事情に鑑みてなされたものであり、メイン基板の汎用性を向上させて製造コストを低減させた電子基板ユニット、制御方法、及びこの電子基板ユニットを備えた撮影装置を提供することを目的とする。
【課題を解決するための手段】
【０００６】
上記課題を解決するために、本発明の電子基板ユニットは、電子機器全体を制御する制御回路と、前記制御回路が実装され、前記電子機器の本体に取り付けられる周辺ユニットが電気的に接続されるメイン基板とで構成される電子基板ユニットであり、前記制御回路は、前記周辺ユニットの種別を示す識別情報を前記周辺ユニットから取得して識別する識別手段と、前記識別手段の識別結果に基づいて前記周辺ユニットの種別に対応する制御情報を設定する設定手段とを備えていることを特徴とするものである。
【０００７】
また、前記各周辺ユニットに対応する複数の制御情報が記憶された記憶手段を備え、前記設定手段は、前記識別結果に基づいて、前記記憶手段に記憶された前記複数の制御情報から前記周辺ユニットに対応する制御情報を選択して設定することが好ましい。
【０００８】
さらに、前記制御情報を記憶するための記憶手段を備え、前記設定手段は、前記電子機器の製造時に、前記識別情報に対応する前記制御情報を製造ラインに設けられたコンピュータからダウンロードして、前記記憶手段に記憶させても良い。
【０００９】
また、前記周辺ユニットは、前記識別情報を前記制御回路に送信する通信手段を備え、前記識別手段は、前記通信手段によって送信された前記識別情報に基づいて前記周辺ユニットの種別を識別することが好ましい。
【００１０】
さらに、前記各周辺ユニットは、種別毎に異なる電圧が印加される識別端子を各々備え、前記各周辺ユニットと前記メイン基板とが電気的に接続された場合、前記識別端子から前記電圧に対応する電圧信号が前記制御回路に入力され、前記識別手段は、前記電圧信号に基づいて前記周辺ユニットの種別を識別しても良い。
【００１１】
また、前記メイン基板には、前記各周辺ユニットの取り付け領域に対応する位置に配置され、前記各周辺ユニットが前記電子機器の本体に取り付けられた時に電気的に接続されて、前記周辺ユニット毎に異なる電圧信号を前記制御回路に出力する識別端子が設けられ、前記識別手段は、前記電圧信号に基づいて前記周辺ユニットの種別を識別しても良い。
【００１２】
さらに、前記周辺ユニットが取り付けられた時に前記周辺ユニットの背面に設けられた金属板と電気的に接続される接地端子を備え、前記識別端子には、所定電圧が印加されており、前記各周辺ユニットが取り付けられた時に、前記金属板を介して前記接地端子と電気的に接続されて接地されることが好ましい。
【００１３】
また、前記制御回路は、前記設定手段によって設定された前記制御情報に基づいて、前記周辺ユニット内の駆動回路のスイッチを切り替えて、前記周辺ユニットの種別に対応させることが好ましい。
【００１４】
本発明の周辺ユニットの制御方法は、電子機器全体を制御する制御回路が実装されたメイン基板と電気的に接続され、前記電子機器の本体に取り付けられる周辺ユニットの制御方法であり、前記周辺ユニットの種別を示す識別情報を前記周辺ユニットから取得して識別し、この識別結果に基づいて前記周辺ユニットの種別に対応する制御情報を設定し、この制御情報に基づいて前記周辺ユニットを制御することを特徴とするものである。
【００１５】
また、本発明の撮影装置は、上記電子基板ユニットと、前記電子基板ユニットと電気的に接続され、電子機器の本体に取り付けられる周辺ユニットとを備えていることを特徴とするものである。
【発明の効果】
【００１６】
本発明によれば、周辺ユニットから識別情報を取得して、周辺ユニットの種別を識別して、周辺ユニットの種別に対応する制御情報を設定するので、複数の周辺ユニットでメイン基板を共用することが可能であり、製造コストを低減することが可能である。
【００１７】
各周辺ユニットに対応する複数の制御情報を記憶させておき、識別結果に基づいて、複数の制御情報から周辺ユニットに対応する制御情報を選択して設定するので、周辺ユニットをメイン基板に接続した後に、制御情報を記憶手段に書き込む必要がない。このため、電子機器を効率良く製造することができる。
【００１８】
また、電子機器の製造時に、識別情報に対応する制御情報を製造ラインに設けられたコンピュータからダウンロードして記憶手段に記憶させるので、複数の制御情報を記憶させる場合よりも、記憶手段の容量を小さくすることが可能である。
【００１９】
さらに、識別手段は、周辺ユニットの通信手段から送信された識別情報に基づいて、周辺ユニットの種別を識別するので、特別な部品をメイン基板に設ける場合と比べてメイン基板の製造コストを低減することができる。
【００２０】
また、各周辺ユニットに、種別毎に異なる電圧が印加される識別端子を各々備え、識別手段は、識別端子から出力される電圧信号に基づいて周辺ユニットの種別を識別するので、特別な部品をメイン基板に設ける場合と比べてメイン基板の製造コストを低減することができる。
【００２１】
さらに、各周辺ユニットの取り付け領域に対応する位置に配置され、周辺ユニット毎に異なる電圧信号を制御回路に出力する識別端子をメイン基板に設けたので、通信手段を周辺ユニットに設ける場合に比べて、周辺ユニットの製造コストを低減することができる。
【発明を実施するための最良の形態】
【００２２】
図１に示すデジタルカメラ（撮影装置）１０は、カメラ本体１１の前面に、スライド操作可能なレンズバリア１２を備えている。このレンズバリア１２を開放位置にスライドさせることによって、撮影レンズ１３、及びストロボ発光部１４が前面に露呈される。このレンズバリア１２は、電源操作部材を兼用しており、前述の開放位置にスライド操作された時に、カメラ本体１１の電源がＯＮとなり、撮影レンズ１３及びストロボ発光部１４が遮蔽される遮蔽位置に移動された時に、カメラ本体１１の電源がＯＦＦとなる。また、カメラ本体１１の前面には、ファインダ対物窓１５が設けられている。
【００２３】
図２に示すように、カメラ本体１１の背面には、画像を表示するＬＣＤユニット（周辺ユニット）１６と、ファインダ接眼窓１７と、複数の操作部材で構成される操作部１８とが設けられている。カメラ本体１１の上面には、シャッタボタン２１が設けられており、側面には、メモリカードスロット２２、及び入出力端子２３が設けられている。メモリカードスロット２２には、画像データが記憶されるメモリカード２４が着脱自在に装填される。また、入出力端子２３は、例えば、ＵＳＢケーブルが接続されるＵＳＢ端子である。カメラ本体１１が、ＵＳＢケーブルによって外部機器（例えば、パーソナルコンピュータ）と接続されことによって、カメラ本体１１と外部機器との間でデータの送受信が可能である。
【００２４】
次に、図３を参照して、上記構成のデジタルカメラ１０の電気的構成について説明する。デジタルカメラ１０は、カメラ本体１１の全体を制御する制御回路であるシステムコントローラ３０を備えている。このシステムコントローラ３０内には、ＲＯＭ３０ａ、ＲＡＭ３０ｂ、識別部３０ｃ、及び設定部３０ｄが設けられている。ＲＯＭ３０ａには、カメラ本体１１内の各部を制御するための制御プログラムや、各種制御パラメータが記憶されている。また、ＲＡＭ３０ｂには、作業用データが一時的に記憶される。システムコントローラ３０は、これらの制御プログラムや各種制御データに基づいて各部を制御する。
【００２５】
識別部３０ｃは、ＬＣＤユニット１６の種別を示す識別情報をＬＣＤユニット１６から取得して識別する。また、設定部３０ｄは、識別部３０ｃの識別結果に基づいてＬＣＤユニットの種別に対応する制御情報として、制御プログラムや制御パラメータ（例えば、画質パラメータ）等を設定する。
【００２６】
システムコントローラ３０には、操作部１８、シャッタボタン２１、及びＬＣＤユニット１６が接続されている。システムコントローラ３０は、これらが操作された時に操作信号を取得し、各操作信号に対応する処理を実行する。さらに、システムコントローラ３０は、ＬＣＤユニット１６を制御して、スルー画、再生画像、及び各種設定画面等を表示させる。
【００２７】
撮影レンズ１３の背後には、ＣＣＤイメージセンサ（以下、単にＣＣＤと称する）３１が設けられており、撮影レンズ１３を透過した被写体光が、ＣＣＤ３１の受光面に入射する。このＣＣＤ３１は、ＣＣＤドライバ３２を介してシステムコントローラ３０に接続されている。システムコントローラ３０は、ＣＣＤドライバ３２を制御してＣＣＤ３１を駆動するための駆動信号を生成させる。ＣＣＤ３１は、この駆動信号によって駆動されて、被写体像を撮像してアナログ信号である撮像信号を出力する。
【００２８】
ＣＣＤ３１には、相関二重サンプリング回路（ＣＤＳ）３３が接続されており、撮像信号が入力される。ＣＤＳ３３は、撮像信号のノイズを除去して、この撮像信号をＡＭＰ３４に出力する。ＡＭＰ３４は、システムコントローラ３０によって設定される撮影感度に応じたゲインで撮像信号を増幅した後、撮像信号をＡ／Ｄ変換器３５に出力する。
【００２９】
Ａ／Ｄ変換器３５は、撮像信号をアナログ信号からデジタル信号に変換して、画像データとして出力する。このＡ／Ｄ変換器３５には、画像入力コントローラ３６が接続されており、画像データが画像入力コントローラ３６に出力される。画像入力コントローラ３６は、データバス３７を介してＳＤＲＡＭ３８が接続されており、ＳＤＲＡＭ３８に画像データを記憶させる。なお、ＳＤＲＡＭ３８には、撮影処理が実行される前に、スルー画用の低解像度の画像データが記憶され、撮影処理時に、スルー画の画像データよりも高解像度の画像データが記憶される。
【００３０】
データバス３７には、画像入力コントローラ３６及びＳＤＲＡＭ３８の他に、システムコントローラ３０、画像信号処理部３９、圧縮伸張処理部４０、メディアコントローラ４１、及び外部Ｉ／Ｆ４２が接続されている。システムコントローラ３０は、データバス３７を介してこれらを制御するとともに、相互間でデータの授受が可能である。
【００３１】
画像信号処理部３９は、画像データがＳＤＲＡＭ３８に一時的に記憶されている時に、画像データに対して、ホワイトバランス補正処理や、階調変換処理や、ＹＣ変換処理等の各種画像処理を施す。
【００３２】
シャッタボタン２１が操作される前に、システムコントローラ３０は、ＬＣＤユニット１６を制御して、各種画像処理が施された画像データをスルー画として表示させる。また、シャッタボタン２１が操作されて撮影指示を取得すると、システムコントローラ３０は、圧縮伸張処理部４０を制御して、各種画像処理が施された画像データに対して、ＪＰＥＧ等の圧縮形式にて圧縮処理を施し、さらに、メディアコントローラ４１を制御して、圧縮後の画像データをメモリカード２４に記録する。
【００３３】
また、メモリカード２４に記録された画像データを再生する場合、システムコントローラ３０は、メディアコントローラ４１を制御して、メモリカード２４から画像データを読み出させ、さらに、圧縮伸張処理部４０を制御して、画像データに対して伸張処理を実行させる。その後、システムコントローラ３０は、ＬＣＤユニット１６を制御して、伸張処理後の画像データを再生画像として表示させる。
【００３４】
外部Ｉ／Ｆ４２は、例えば、ＵＳＢ２．０規格のインターフェースであり、前述の入出力端子２３と接続されており、カメラ本体１１と外部周辺機器（例えば、パーソナルコンピュータ）とがＵＳＢケーブルによって接続された時に、カメラ本体１１とパーソナルコンピュータ間の通信を制御する。
【００３５】
次に、図４を参照して、ＬＣＤユニット１６及び電子基板ユニット６０について説明する。ＬＣＤユニット１６は、ＬＣＤ本体５０と、このＬＣＤ本体５０を駆動するＬＣＤ駆動回路５１と、接続ケーブル５２とを備えている。この接続ケーブル５２は、例えば、フレキシブルプリント基板（以下、ＦＰＣと称する）であり、一端は、ＬＣＤ駆動回路５１に電気的に接続されている。
【００３６】
電子基板ユニット６０は、前述のシステムコントローラ３０と、メイン基板６１と、接続部６２とで構成されている。システムコントローラ３０は、メイン基板６１に実装されており、接続部６２もメイン基板６１に設けられている。接続部６２には、接続ケーブル５２の他端が電気的に接続される。この接続部６２は、例えば、ＦＰＣ用のコネクタであり、接続ケーブル５２の他端が着脱自在に接続される。なお、ＦＰＣ用のコネクタを用いずに、ＦＰＣを圧着によって接続しても良い。
【００３７】
ＬＣＤ本体５０は、液晶パネル５３と、この液晶パネルを背面から照明するバックライト５４とで構成されている。ＬＣＤ駆動回路５１は、液晶パネルを駆動する液晶駆動部５５と、バックライトを駆動するバックライト駆動部５６と、通信部５７とを備えている。
【００３８】
通信部５７は、接続ケーブル５２を介してシステムコントローラ３０との間でシリアル通信を行う。通信部５７は、ＬＣＤユニット１６の種別を識別するための識別情報をシステムコントローラ１６へ送信したり、システムコントローラ１６から制御信号や画像データ等の情報を受信したりする。
【００３９】
次に、図５のフローチャートを参照して、システムコントローラ３０の表示制御処理について、２．５型及び３．０型の２種類のインチサイズのＬＣＤユニットを識別する場合を例に説明する。デジタルカメラ１０の製造時に、カメラ本体１１にＬＣＤユニット１６の取り付けが完了した後、デジタルカメラ１０の電源が最初にＯＮにされると、ＬＣＤユニット１６の電源も同時にＯＮにされる。
【００４０】
システムコントローラ３０は、接続ケーブル５２を介して、通信部５７からシリアル通信にて識別情報を受信する。この識別情報とは、例えば、メーカ、画面のインチサイズ、画素数、バックライト５４を構成するＬＥＤの発光数等の情報である。
【００４１】
識別部３０ｃは、識別情報に基づいて、画面サイズが２．５型であるか否かを判定する。２．５型であると判定された場合、設定部３０ｄは、ＲＯＭ３０ａに記憶されているＬＣＤユニット用の制御プログラムのうち、２．５型のＬＣＤユニットに対応する制御プログラムを起動させるとともに、制御パラメータの設定を行う。
【００４２】
また、２．５型ではないと判定された場合、設定部３０ｄは、３．０型のＬＣＤユニットに対応する制御プログラムを起動させるとともに、同様に、制御パラメータの設定を行う。制御プログラムの起動、及び制御パラメータの設定完了後、システムコントローラ３０は、制御プログラム及び制御パラメータに基づいて、ＬＣＤ駆動回路５１を制御して画像を表示させて、表示制御処理を終了する。
【００４３】
なお、制御プログラム及び制御パラメータの設定処理は、デジタルカメラ１０の製造時に、カメラ本体１１の電源が最初にＯＮにされた時にのみ実行されても良いし、カメラ本体１１の電源がＯＮにされる度に実行しても良い。また、２種類のＬＣＤユニットのいずれであるかを識別する場合を例に説明したが、これに限るものではなく、３種類以上のＬＣＤユニットを識別しても良い。
【００４４】
次に、図６を参照して、電子基板ユニット６５について説明する。電子基板ユニット６５は、システムコントローラ６６と、メイン基板６１と、接続部６２とで構成されている。メイン基板６１及び接続部６２は、電子基板ユニット６０と同様のものであり、詳しい説明を省略する。
【００４５】
システムコントローラ６６は、システムコントローラ３０と異なり、ＲＯＭ３０ａの代わりに、フラッシュメモリ６６ａを備えて構成されている。このフラッシュメモリ６６ａは、書き換え可能なメモリであり、ＲＯＭ３０ａと同様に、制御プログラムや制御パラメータが記憶されている。その他の構成は、電子基板ユニット６０と同様であり、同じ部品には同一の符号を付して詳しい説明を省略する。
【００４６】
この電子基板ユニット６５では、デジタルカメラ１０の製造時に、システムコントローラ６５が、ＬＣＤユニット１６から識別情報を取得した時に、設定部３０ｄが、ＬＣＤユニット１６に対応するファームウェア（制御プログラム及び制御パラメータを含むソフトウェア）を製造ラインに設けられたコンピュータからダウンロードして、フラッシュメモリ６６ａに記憶させる。なお、ファームウェアをダウンロードする場合、例えば、ＵＳＢケーブルを用いて、カメラ本体１１とコンピュータとを接続して行えば良い。
【００４７】
次に、図７のフローチャートを参照して、システムコントローラ６６の表示制御処理について、２．５型及び３．０型の２種類のインチサイズのＬＣＤユニットを識別する場合を例に説明する。デジタルカメラ１０の製造時に、カメラ本体１１にＬＣＤユニット１６の取り付けが完了した後、カメラ本体１１とコンピュータとがＵＳＢケーブルによって接続される。その後、デジタルカメラ１０の電源が最初にＯＮにされた時に、ＬＣＤユニット１６の電源が同時にＯＮにされる。
【００４８】
電源がＯＮにされた後、システムコントローラ６６は、通信部５７からＬＣＤユニット１６の識別情報をシリアル通信にて取得する。識別部３０ｃは、識別情報に基づいて、画面のインチサイズが２．５型であるか否かを判定する。２．５型であると判定された場合、設定部３０ｄは、外部Ｉ／Ｆ４２を制御して、コンピュータから２．５型用ファームウェアをダウンロードする。
【００４９】
また、２．５型でないと判定された場合、設定部３０ｄは、３．０型用のファームウェアをダウンロードする。その後、設定部３０ｄは、ダウンロードされたファームウェアをフラッシュメモリ６６ａに書き込むとともに、このファームウェアが正しいものであるかをチェックする。
【００５０】
ファームウェアのチェックにてＮＧの場合、識別情報を受信する処理に戻り、同様の処理を繰り返し行う。ファームウェアのチェックがＯＫであれば、システムコントローラ６６は、ＬＣＤユニット１６を制御して画像を表示させて、表示制御処理を終了する。
【００５１】
前述したように、システムコントローラ６６内のフラッシュメモリ６６ａに、各ＬＣＤユニットに対応するファームウェアが書き込まれるので、ＬＣＤユニットの種別が異なる機種間で、システムコントローラ６６が実装されたメイン基板を共用することが可能である。また、フラッシュメモリ６６ａに、ＬＣＤユニット用のファームウェアを複数記憶させておく必要がないので、フラッシュメモリ６６ａの容量を小さくすることができる。
【００５２】
上記実施形態の説明では、システムコントローラが、ＬＣＤ駆動回路５１から識別情報を受信して、識別部３０ｃが識別情報に基づいてＬＣＤユニットの種別を識別する場合について説明を行ったが、これに限るものではなく、端子電圧によってＬＣＤユニットの種別を識別しても良い。以下に、端子電圧によって識別する場合について説明する。
【００５３】
次に、図８を参照して、端子電圧によってＬＣＤユニットを識別する場合のＬＣＤユニット７０，７１の構成について説明する。図８（Ａ）に示すＬＣＤユニット７０は、２．５型の２３万画素のＬＣＤ本体７２と、ＬＣＤ駆動回路７３とを備えている。ＬＣＤ駆動回路７３は、ＬＣＤ駆動回路５１と異なり、識別端子７６ａを有している。この識別端子７６ａは、接続ケーブル５２の他端がメイン基板６１に接続された時に、例えば、３．３Ｖの電圧が印加される。この識別端子７６ａは、接続ケーブル５２の他端がメイン基板６０に接続された時に、システムコントローラ３０と導通する。
【００５４】
また、図８（Ｂ）に示すＬＣＤユニット７１は、３．０型の２３万画素のＬＣＤ本体７４と、ＬＣＤ駆動回路７５とを備えている。ＬＣＤ駆動回路７５は、ＬＣＤ駆動回路５１と異なり、識別端子７６ｂを有している。この識別端子７６ｂは、ＬＣＤユニット７１がカメラ本体１１に取り付けられた時に接地される。この識別端子７６ｂは、接続ケーブル５２の他端がメイン基板６０に接続された時に、システムコントローラ３０と導通する。
【００５５】
ＬＣＤユニット７１がカメラ本体１１に取り付けられ、メイン基板６１に接続された時に、システムコントローラ３０には、識別端子７６ａから識別情報としてＨｉ信号が入力される。なお、識別端子７６ａには、接続ケーブル５２での損失を考慮して、３．３Ｖの電圧が印加されており、システムコントローラ３０に入力されるＨｉ信号は、約３．０Ｖの電圧信号となる。
【００５６】
また、同様に、ＬＣＤユニット７１がカメラ本体１１に取り付けられ、メイン基板６１に接続された時に、システムコントローラ３０には、識別端子７６ｂから識別情報としてＬｏｗ信号（０Ｖ）が入力される。なお、図８において、図面を簡略化するために、液晶駆動部５５及びバックライト駆動部５６の図示を省略しているが、ＬＣＤ駆動回路７３，７５には、ＬＣＤ駆動回路５１と同様に、これらが設けられている。
【００５７】
次に、図９のフローチャートを参照して、識別端子からの入力信号に基づいてＬＣＤユニットを識別する場合の表示制御処理について説明する。なお、２．５型及び３．０型の２種類のインチサイズのＬＣＤユニットを識別する場合を例に説明する。デジタルカメラ１０の電源がＯＮにされて、さらに、ＬＣＤユニット７０またはＬＣＤユニット７１の電源が同時にＯＮにされと、識別部３０ｃは、識別端子からの入力信号がＨｉ信号であるか否かを判定する。
【００５８】
入力信号がＨｉ信号の場合、システムコントローラ３０は、ＲＯＭ３０ａに記憶されているＬＣＤユニット用の制御プログラムのうち、２．５型のＬＣＤユニットに対応する制御プログラムを起動させるとともに、制御パラメータの設定を行う。また、入力信号がＨｉ信号ではない場合（Ｌｏｗ信号の場合）、システムコントローラ３０は、３．０型のＬＣＤユニットに対応する制御プログラムを起動させるとともに、制御パラメータの設定を行う。
【００５９】
制御プログラムの起動、及び制御パラメータの設定完了後、システムコントローラ３０は、制御プログラム及び制御パラメータに基づいて、ＬＣＤ駆動回路７３またはＬＣＤ駆動回路７５を制御して画像を表示させて、表示制御処理を終了する。
【００６０】
次に、図１０を参照して、電子基板ユニット８０について説明する。電子基板ユニット８０は、システムコントローラ３０と、メイン基板８１と、接地端子８２，８３，８４と、識別端子９１，９２とを備えて構成されている。メイン基板８１には、システムコントローラ３０が実装されており、メイン基板６１と同様に、接続部６２が設けられている。
【００６１】
ＬＣＤユニットは、背面側の少なくとも一部が金属板によって覆われている。接地端子８２は、３．０型のＬＣＤユニットがメイン基板８１に取り付けられた時に金属板と接触して導通し、接地端子８３は、２．５型のＬＣＤユニットが取り付けられた時に、同様に導通し、さらに、接地端子８４は、１．５型のＬＣＤユニットが取り付けられた時に、同様に導通する。なお、接地端子を３つ設ける場合を例に説明したが、これに限るものではなく、ＬＣＤユニットの背面全体が金属板で覆われている場合には接地端子は１つでも良い。
【００６２】
二点鎖線で示す領域Ａ１は、３．０インチのＬＣＤユニットの取り付け領域、点線で示す領域Ａ２は、２．５インチのＬＣＤユニットの取り付け領域、一点鎖線で示す領域Ａ３は、１．５インチのＬＣＤユニットの取り付け範囲をそれぞれ示している。
【００６３】
識別端子９１は、領域Ａ１よりも内側、且つ領域Ａ２よりも外側に配置されている。このため、３．０型のＬＣＤユニットが取り付けられた時にのみ、識別端子９１が金属板と接触して導通する。また、識別端子９２は、領域Ａ２よりも内側、且つ領域Ａ３よりも外側に配置されている。このため、３．０型及び２．５型のＬＣＤユニットが取り付けられた時に、識別端子９２が金属板と接触して導通する。
【００６４】
また、これらの識別端子９１，９２は、電源によって３．３Ｖの電圧が印加されており、各々がシステムコントローラ３０と電気的に接続されている。このため、３．０型のＬＣＤユニットが取り付けられた場合、識別端子９１，９２が、金属板と接触して導通するので、これらの識別端子９１，９２は、金属板を介して接地端子８２と接続されて電圧が０Ｖとなる。このため、システムコントローラ３０には、これらの識別端子９１，９２の各々からＬｏｗ信号が入力される。
【００６５】
また、２．５型のＬＣＤユニットが取り付けられた場合、端子９２のみが金属板と接触して導通するので、識別端子９２が金属板を介して接地端子８３と接続されて、識別端子９２のみが０Ｖとなり、識別端子９１の電圧は、３．３Ｖとなる。このため、システムコントローラ３０には、識別端子９１からＨｉ信号が入力され、識別端子９２からＬｏｗ信号が入力される。
【００６６】
さらに、１．５インチのＬＣＤユニットが取り付けられた場合、識別端子９１，９２のいずれも金属板と接触しないので、識別端子９１，９２の電圧は、共に３．３Ｖのままとなる。このため、システムコントローラ３０には、識別端子９１，９２の各々からＨｉ信号が入力される。
【００６７】
前述したように、２つの識別端子９１，９２を設けることによって、システムコントローラ３０は、識別端子９１，９２からの入力信号に基づいて、最大３種類のＬＣＤユニットを識別することが可能である。例えば、２種類のＬＣＤユニットを識別する場合は下表１、３種類のＬＣＤユニットを識別する場合は下表２のような入力信号の組み合わせによって、ＬＣＤユニットの種別を識別する。
【００６８】
なお、下表１は、端子９１からの入力信号のみで、２．５インチ及び３．０インチのＬＣＤユニットの２種類を識別するための対応表であり、下表２は、端子９１，９２からの２つの入力信号によって、１．５インチ、２．５インチ、及び３．０インチの３種類を識別するための対応表である。
【００６９】
【表１】
2008244114.tif 000003
【００７０】
【表２】
2008244114.tif 000004
【００７１】
次に、上記構成の電子基板ユニット８０によって、２．５インチ及び３．０インチの２種類を識別する場合の表示制御処理について説明する。この場合、システムコントローラ３０は、識別端子９１からの入力信号のみに基づいて識別を行う。つまり、識別端子９１からＨｉ信号が入力された場合、２．５型のＬＣＤユニットであると判定し、Ｌｏｗ信号が入力された場合、３．０型のＬＣＤユニットであると判定する。なお、その他の処理は、前述の図９のフローチャートと同様であるので、詳しい説明を省略する。
【００７２】
次に、図１１のフローチャートを参照して、１．５インチ、２．５インチ、及び３．０インチの３種類を識別する場合について説明する。デジタルカメラ１０の電源がＯＮにされて、さらに、ＬＣＤユニット１６の電源が同時にＯＮにされと、識別部３０ｃは、識別端子９１からの入力信号がＨｉ信号であるか否かを判定する。
【００７３】
識別端子９１からの入力信号がＨｉ信号ではない（Ｌｏｗ信号である）と判定された場合、設定部３０ｄは、ＲＯＭ３０ａに記憶されているＬＣＤユニット用の制御プログラムのうち、３．０型のＬＣＤユニットに対応する制御プログラムを起動させるとともに、制御パラメータの設定を行う。
【００７４】
また、識別端子９１からの入力信号がＨｉ信号であると判定された場合、識別部３０ｃは、識別端子９２からの入力信号がＨｉ信号であるか否かを判定する。識別端子９２からの入力信号がＨｉ信号であると判定された場合、設定部３０ｄは、１．５型のＬＣＤユニットに対応する制御プログラムの起動、及び制御パラメータの設定を行う。
【００７５】
また、識別端子９２からの入力信号がＨｉ信号ではない（Ｌｏｗ信号である）と判定された場合、設定部３０ｄは、２．５インチのＬＣＤユニットに対応する制御プログラムの起動、及び制御パラメータの設定を行う。
【００７６】
制御プログラムの起動、及び制御パラメータの設定完了後、システムコントローラ３０は、制御プログラム及び制御パラメータに基づいて、ＬＣＤ駆動回路５１を制御して画像を表示させて、表示制御処理を終了する。
【００７７】
上記実施形態では、ＬＣＤユニットに対応する制御プログラム及び制御パラメータを設定する場合を例に説明したが、これに限るものではなく、制御プログラム及び制御パラメータを設定するとともに、ＬＣＤユニットの種別に応じて、バックライト５４を構成するＬＥＤの電流を制御しても良い。以下に、この場合について説明する。
【００７８】
最初に、図１２を参照して、バックライト駆動部５６の構成を説明する。バックライト駆動部５６は、ＢＬ電源昇圧ＩＣ９５と、２つのスイッチＳＷ１，ＳＷ２と、抵抗Ｒ１，Ｒ２とで構成されている。
【００７９】
バックライト５４は、３個のＬＥＤ５４ａ〜５４ｃが直列に接続されて構成されている。なお、ＬＥＤの個数は適宜変更可能であり、さらに、直列に接続されたＬＥＤを複数列設けて、これらを並列に接続しても良い。
【００８０】
ＢＬ電源昇圧ＩＣ９５は、例えば、ＤＣ／ＤＣコンバータであり、カメラ本体１１内のバッテリ（図示せず）から給電されて、直流電圧を所定の電圧に変換して、３個のＬＥＤ５４ａ〜５４ｃの両端に印加する。
【００８１】
また、２つのスイッチＳＷ１，ＳＷ２は、ＬＥＤ５４ｃの負極に並列に接続されている。スイッチＳＷ１には、抵抗Ｒ１が直列に接続されており、この抵抗Ｒ１の他端は接地されている。また、スイッチＳＷ２も同様に、抵抗Ｒ２が直列に接続されており、この抵抗Ｒ２の他端は接地されている。また、抵抗Ｒ１，Ｒ２は、ＬＥＤ５４ａ〜５４ｃの明るさを変更できるように、異なる抵抗値に設定されている。
【００８２】
システムコントローラ３０は、２つのスイッチＳＷ１，ＳＷ２のＯＮ／ＯＦＦを制御することによって、３個のＬＥＤ５４ａ〜５４ｃに印加される電圧を変化させて、ＬＥＤ５４ａ〜５４ｃに流れる電流を変更する。これにより、ＬＥＤ５４ａ〜５４ｃの輝度を調節可能である。なお、上記説明において、２つのスイッチＳＷ１，ＳＷ２を設ける場合を例に説明を行ったが、これに限るものではなく、スイッチを１つだけ設けて、分圧抵抗値によって、ＬＥＤ５４ａ〜５４ｃに流れる電流を制御しても良い。
【００８３】
次に、ＬＣＤユニットの種別に基づいて、制御プログラムの起動、及び制御パラメータの設定とともに、バックライト５４の輝度を調節する場合について説明する。この場合、図１３に示すように、前述のバックライト駆動部５６と、電子基板ユニット８０とを組み合わせて、識別端子９１，９２と、バックライト駆動部５６とを接続する。なお、その他の構成は、前述のバックライト駆動部５６及び電子基板ユニット８０と同様であり、同じ部品には同一の符号を付して詳しい説明を省略する。
【００８４】
識別部３０ｃによって、２．５型のＬＣＤユニットであると識別された場合、システムコントローラ３０は、スイッチＳＷ１のみをＯＮにして、抵抗Ｒ１が選択される。また、３．０型のＬＣＤユニットであると識別された場合、システムコントローラ３０は、スイッチＳＷ２のみをＯＮにして、抵抗Ｒ２が選択される。また、前述したように、抵抗Ｒ１，Ｒ２の抵抗値は、Ｒ１＞Ｒ２であり、２．５型よりも３．０型のＬＣＤユニットの方が、３個のＬＥＤ５４ａ〜５４ｃに流れる電流が大きくなって輝度が高くなる。
【００８５】
次に、図１４のフローチャートを参照して、ＬＣＤユニットの種別に基づいてバックライト５４の輝度を調節する場合の表示制御処理について説明する。デジタルカメラ１０の電源がＯＮにされて、ＬＣＤユニット１６の電源がＯＮにされと、識別部３０ｃは、識別端子９１からの入力信号がＨｉ信号であるか否かを判定する。
【００８６】
入力信号がＨｉ信号の場合、設定部３０ｄは、２．５型のＬＣＤユニットに対応する制御プログラムを起動させるとともに、制御パラメータの設定を行う。さらに、システムコントローラ３０は、スイッチＳＷ１のみをＯＮにして、バックライトの輝度を調節する。
【００８７】
また、入力信号がＨｉ信号ではない場合（Ｌｏｗ信号の場合）、設定部３０ｄは、３．０型のＬＣＤユニットに対応する制御プログラムを起動させるとともに、制御パラメータの設定を行う。さらに、システムコントローラ３０は、スイッチＳＷ２のみをＯＮにして、バックライトの輝度を調節する。
【００８８】
制御プログラムの起動、制御パラメータの設定、及びバックライトの輝度調節の完了後、システムコントローラ３０は、制御プログラム及び制御パラメータに基づいて、ＬＣＤ駆動回路５１を制御して画像を表示させて、表示制御処理を終了する。
【００８９】
なお、上記実施形態において、システムコントローラ内に、識別部及び設定部を設ける場合を例に説明したが、これに限るものではなく、識別部及び設定部をシステムコントローラの外部に設けても良いし、システムコントローラが、識別処理及び設定処理をプログラムによって実行しても良い。
【００９０】
また、上記実施形態において、周辺ユニットとしてＬＣＤユニットを例に説明を行ったが、これに限るものではなく、例えば、レンズユニットや、撮像ユニットや、ストロボユニット等でも良い。これらの場合も、システムコントローラが、各々の種別を識別して、各種別に対応する制御プログラム及び制御データに基づいて制御すれば良い。
【００９１】
さらに、上記実施形態において、本発明をデジタルカメラに適用した場合を例に説明したが、これに限るものではなく、メイン基板及び周辺ユニットを備えた電子機器であれば、本発明を適用可能であり、例えば、携帯電話や監視カメラ等に本発明を適用しても良い。
【図面の簡単な説明】
【００９２】
【図１】デジタルカメラの前面側の構成を示す斜視図である。
【図２】デジタルカメラの背面側の構成を示す斜視図である。
【図３】デジタルカメラの電気的構成を示すブロック図である。
【図４】電子基板ユニット及びＬＣＤユニットの構成を示すブロック図である。
【図５】システムコントローラの表示制御処理を説明するフローチャートである。
【図６】電子基板ユニットの構成を示すブロック図であり、ＲＯＭの代わりにフラッシュメモリを設けた場合を示している。
【図７】システムコントローラの表示制御処理を説明するフローチャートであり、ＬＣＤユニットに対応するファームウェアをフラッシュメモリに書き込む場合を示している。
【図８】ＬＣＤユニットの構成を示すブロック図であり、ＬＣＤ駆動回路に識別端子を設けた場合を示している。
【図９】システムコントローラの表示制御処理を説明するフローチャートであり、ＬＣＤ駆動回路の識別端子からの入力信号に基づいて識別する場合を示している。
【図１０】電子基板ユニットの構成を示すブロック図であり、識別端子をメイン基板に設けた場合を示している。
【図１１】システムコントローラの表示制御処理を説明するフローチャートであり、メイン基板の識別端子からの入力信号に基づいて識別する場合を示している。
【図１２】バックライト駆動部の構成を示すブロック図である。
【図１３】識別端子をメイン基板に設けてバックライトの輝度を調節する場合の構成を示すブロック図である。
【図１４】システムコントローラの表示制御処理を説明するフローチャートであり、バックライトの輝度を調節する場合を示している。
【符号の説明】
【００９３】
１０  デジタルカメラ
１１  カメラ本体
１６，７０，７１  ＬＣＤユニット
３０，６６  システムコントローラ
３０ａ  ＲＯＭ
３０ｃ  識別部
３０ｄ  設定部
５１，７３，７５  ＬＣＤ駆動回路
５２  接続ケーブル
５４  バックライト
５６  バックライト駆動部
５７  通信部
６０，６５，８０  電子基板ユニット
６１，８１  メイン基板
６２  接続部
６６ａ  フラッシュメモリ
７６ａ，７６ｂ，９１，９２  識別端子
８２〜８４  接地端子
【図１】
2008244114.tif 000005
【図２】
2008244114.tif 000006
【図３】
2008244114.tif 000007
【図４】
2008244114.tif 000008
【図５】
2008244114.tif 000009
【図６】
2008244114.tif 000010
【図７】
2008244114.tif 000011
【図８】
2008244114.tif 000012
【図９】
2008244114.tif 000013
【図１０】
2008244114.tif 000014
【図１１】
2008244114.tif 000015
【図１２】
2008244114.tif 000016
【図１３】
2008244114.tif 000017
【図１４】
2008244114.tif 000018